(57)【要約】【課題】現場での作業性に優れ、しかも、一列状態に多数配列して接続することができ、そのような接続を行っても一部の面状発熱体のヒーターの内部導体に大きな電流が流れることのないコンクリート養生用面状発熱体を提供する。【解決手段】配列方向の両端側に接続用のコンセント２，２を備え、ヒーター４は対の内部導体４ａ，４ａと抵抗体４ｂとを備える。ヒーター４の内部導体４ａに接続された対の第１引出し導線５，５は、列方向の一端側でコンセント２に接続され、また、各第１引出し導線５，５に分岐の第２引出し導線６，６が接続され、第２導線６，６は列方向の他端側のコンセント３に接続されている。そして、第１、第２の引出し導線５，６は、ヒーター４の内部導体４ａよりも大きな電流の流れを許容するものからなる。【選択図】      図１
2005108582.tif 000002
【特許請求の範囲】
【請求項１】
コンクリートに沿って一列状態に複数配列して用いることが可能で、該列方向の両端側にそれぞれ接続用の通電コンセントが備えられたコンクリート養生用面状発熱体であって、
ヒーターが、対の内部導体と、両内部導体に接続された抵抗体とを備えたものからなっており、
前記ヒーターの内部導体に接続された対の第１引出し導線が、列方向の一端側に導出されて、該一端側のコンセントに接続され、
前記各第１引出し導線に分岐の第２引出し導線が接続され、該第２導線は列方向の他端側に導出されて、該他端側のコンセントに接続され、
前記第１、第２の引出し導線は、ヒーターに備えられている内部導体よりも大きな電流の流れを許容するものからなっていることを特徴とするコンクリート養生用面状発熱体。
【発明の詳細な説明】
【技術分野】
【０００１】
本発明は、コンクリート養生用面状発熱体に関する。
【背景技術】
【０００２】
例えば、建物の基礎コンクリートの養生に用いられる発熱体として、従来より、図３（ロ）に示すように、一列状態に複数配列して用いることが可能で、該列方向の両端側にそれぞれ、図３（イ）に示すように、接続用の通電コンセント５２，５３が備えられ、かつ、ヒーター５４が、対の内部導体５４ａ，５４ａと、両内部導体５４ａ，５４ａに接続された抵抗体５４ｂとを備えたものからなっているコンクリート養生用面状発熱体５１は提供されている。このコンクリート養生用面状発熱体５１では、ヒーター５４の内部導体５４ａ，５４ａの一端側に対の第１引出し導線５５，５５が接続され、該第１引出し導線５５，５５は列方向の一端側に導出されて、該一端側のコンセント５２に接続され、また、ヒーター５４の内部導体５４ａ，５４ａの他端側に対の第２引出し導線５６，５６が接続され、該第２引出し導線５６，５６は列方向の他端側に導出されて、該他端側のコンセント５３に接続されている。
【０００３】
しかしながら、上記のような構造の養生用面状発熱体５１では、図３（ロ）に示すように、これを多数、一列状態にして隣り合う発熱体５１…同士を接続して電流を流すと、一部の発熱体において、その内部に備えられているヒーター５４の内部導体５４ａに大きな電流が流れてしまうため、一列状態に接続できる面状発熱体５１の数に制限があった。
【０００４】
そこで、図４（イ）に示すように、ヒーター５４の内部導体５４ａ，５４ａの一端側にのみ対の引出し導線５５，５５を接続し、該引出し導線５５，５５にコンセント５２を接続しただけの構造とし、図４（ロ）に示すように、別途電気コード５７を用意し、養生用面状発熱体５８を多数、一列状態にして、各面状発熱体５８…のコンセント５２…を電気コード５７に接続して通電
を行うようにすることも考えられる。これによれば、面状発熱体５８を多数一列状態にして接続し通電しても、各面状発熱体５８…のヒーター５４の内部導体５４ａ，５４ａには小さな電流しか流れず、そのため、多くの面状発熱体５８…を接続することが可能となる。
【０００５】
しかしながら、このやり方では、面状発熱体５８…のほか、電気コード５７を這わせ、そして、各面状発熱体５８…を電気コード５７に接続していく必要があり、現場での作業が非常に厄介なものになってしまう。
【発明の開示】
【発明が解決しようとする課題】
【０００６】
本発明は、上記のような問題点に鑑み、現場での作業性に優れ、しかも、一列状態に多数配列して接続することができ、そのような接続を行っても一部の面状発熱体のヒーターの内部導体に大きな電流が流れることのないコンクリート養生用面状発熱体を提供することを課題とする。
【課題を解決するための手段】
【０００７】
上記の課題は、コンクリートに沿って一列状態に複数配列して用いることが可能で、該列方向の両端側にそれぞれ接続用の通電コンセントが備えられたコンクリート養生用面状発熱体であって、
ヒーターが、対の内部導体と、両内部導体に接続された抵抗体とを備えたものからなっており、
前記ヒーターの内部導体に接続された対の第１引出し導線が、列方向の一端側に導出されて、該一端側のコンセントに接続され、
前記各第１引出し導線に分岐の第２引出し導線が接続され、該第２導線は列方向の他端側に導出されて、該他端側のコンセントに接続され、
前記第１、第２の引出し導線は、ヒーターに備えられている内部導体よりも大きな電流の流れを許容するものからなっていることを特徴とするコンクリート養生用面状発熱体によって解決される。
【０００８】
この発熱体では、配列方向の両端側にそれぞれ接続用の通電コンセントが備えられているので、配列方向において隣り合う面状発熱体の端部間でそれらのコンセント同士を接続していくだけでよく、そのため、現場での作業を容易に行っていくことができる。
【０００９】
しかも、ヒーターの内部導体に接続された対の第１引出し導線が、列方向の一端側に導出されて、該一端側のコンセントに接続され、各第１引出し導線に分岐の第２引出し導線が接続され、該第２導線が列方向の他端側に導出されて、該他端側のコンセントに接続された配線構造を採用しているので、面状発熱体を多数一列状態にして接続して通電しても、各面状発熱体のヒーターの内部導体には小さな電流しか流れず、そのため、多くの面状発熱体を接続することができる。
【発明の効果】
【００１０】
本発明は、以上のとおりのものであるから、現場での作業性に優れ、しかも、一列状態に多数配列して接続することができ、そのような接続を行っても一部の面状発熱体のヒーターの内部導体に大きな電流が流れることがない。
【発明を実施するための最良の形態】
【００１１】
次に、本発明の実施最良形態を図面に基づいて説明する。
【００１２】
図１（イ）（ロ）に示す実施形態のコンクリート養生用面状発熱体１は、長方形状をしており、その長手方向の一端側に雄形のコンセント２が備えられると共に、他端側に雌形のコンセント３が備えられ、カバー９の内部に面状のヒーター４が備えられている。該面状ヒーター４は、対の内部導体４ａ，４ａと、両内部導体４ａ，４ａに接続された抵抗体４ｂとを備えたものからなっており、ヒーター４の内部導体４ａ，４ａに対の第１引出し導線５，５を接続され、該第１引出し導線５，５は、発熱体１の長手方向の一端側に導出され、該一端側の雄形コンセント２に接続されている。そして、各第１引出し導線５，５には分岐の第２引出し導線６，６が接続され、該第２引出し導線６，６は発熱体１の長手方向の他端側に導出され、該他端側の雌形コンセント３に接続されている。もちろん、第１、第２の引出し導線５，５，６，６は、ヒーター４に備えられている内部導体４ａ，４ａよりも大きな電流の流れを許容するものからなっている。
【００１３】
上記の発熱体１は、図１（ハ）に示すように、長手方向を横向きにして、これを複数、一列状態に配列すると、配列方向において隣り合う発熱体１，１の向き合う側の端部の雌雄のコンセント２，３を接続することができるようになされており、こうして発熱体１…同士を接続することにより、各発熱体１…に電流を流して発熱させることができるようになされている。
【００１４】
上記のコンクリート養生用面状発熱体１では、従来同様に、配列方向の両端側にそれぞれ接続用のコンセント２，３が備えられているので、配列方向において隣り合う面状発熱体１，１の端部間でそれらのコンセント２，３同士を接続していけばよく、そのため、現場での発熱体１の設置作業を容易に行っていくことができる。
【００１５】
しかも、各コンクリート養生用面状発熱体１において、ヒーター４の内部導体４ａ，４ａに接続された対の第１引出し導線５，５から第２引出し導線６，６を分岐させ、この第２引出し導線６，６を他端側のコンセント３に接続するという配線構造を採っているので、面状発熱体１を多数一列状態にして接続して通電しても、各面状発熱体１のヒーター４の内部導体４ａ，４ａには小さな電流しか流れず、そのため、多くの面状発熱体１…を接続することができる。
【００１６】
なお、上記のコンクリート養生用面状発熱体１は、例えば、図２（イ）（ロ）に示すように、布基礎７の立ち上がり部７ａの側面に設置されている金属製型枠８の外面側にマグネット１０で取り付けられ、図１（ハ）に示すような一列配列状態にされ、コンセント２，３同士を接続して通電することでコンクリート１１の養生に用いられる。
【００１７】
以上に、本発明の実施形態を示したが、本発明はこれに限られるものではなく、発明思想を逸脱しない範囲で各種の変更が可能である。例えば上記の実施形態では、複数の発熱体１をその長手方向に一列状態に配置していく場合を示しているが、短手方向の両端部にコンセントを備えさせ、短手方向に一列状態に配置していくようにしてもよいし、発熱体が正方形状をしているのであればコンセントのある側に一列状態に配置していけばよい。
【図面の簡単な説明】
【００１８】
【図１】実施形態のコンクリート養生用面状発熱体を示すもので、図（イ）は正面図、図（ロ）は断面図、図（ハ）は接続状態を示す正面図である。
【図２】図（イ）（ロ）は使用方法の一例を示す断面側面図である。
【図３】従来のコンクリート養生用面状発熱体を示すもので、図（イ）は正面図、図（ロ）は接続状態を示す正面図である。
【図４】従来の他のコンクリート養生用面状発熱体を示すもので、図（イ）は正面図、図（ロ）は接続状態を示す正面図である。
【符号の説明】
【００１９】
１…コンクリート養生用面状発熱体
２…コンセント
３…コンセント
４…ヒーター
４ａ…内部導体
４ｂ…抵抗体
５…第１引出し導線
６…第２引出し導線
１１…コンクリート
【図１】
2005108582.tif 000003
【図２】
2005108582.tif 000004
【図３】
2005108582.tif 000005
【図４】
2005108582.tif 000006